(57)【要約】【課題】１本のコードを用いた比較的簡単な構成で、複数の異なる周波数帯域の電波に対して良好な受信感度を有するアンテナを実現する。【解決手段】本発明のアンテナは、一端がプラグに接続され、かつ途中に少なくとも１個のインダクタが挿入された１本のコードで構成されている。前記コードの一端から他端までの長さおよび、前記一端から前記いずれかのインダクタが接続された位置までの長さは、前記複数の周波数帯域のうちいずれかの周波数帯域の中心周波数またはその近傍の周波数における波長のｎ／４（ｎは１、２、３および４のいずれか）であり、かつ前記少なくとも１個のインダクタの自己共振周波数は、前記一端から前記インダクタが接続された位置までの長さに対応した周波数帯域の中心周波数またはその近傍の周波数と合致する。【選択図】図１
2006325197.tif 000002
【特許請求の範囲】
【請求項１】
複数の周波数帯域の電波を選択的に受信する受信装置に取付可能なアンテナであって、
一端が前記受信装置に接続可能であり、かつ直列に接続された複数本の導電線および、前記複数本の導電線の間に挿入された少なくとも１個のインダクタで構成され、
前記複数本の導電線の一端から他端までの長さおよび、前記一端から前記いずれかのインダクタが接続された位置までの長さは、前記複数の周波数帯域のうちいずれかの周波数帯域の中心周波数またはその近傍の周波数における波長のｎ／４（ｎは１、２、３および４のいずれか）であり、
かつ前記少なくとも１個のインダクタの自己共振周波数は、前記一端から前記インダクタが接続された位置までの長さに対応した周波数帯域の中心周波数またはその近傍の周波数と合致することを特徴とするアンテナ。
【請求項２】
２個のインダクタと３本の導電線で構成され、第１の導電線でＵＨＦ帯の上帯域の電波を受信し、第１および第２の導電線でＵＨＦ帯の下帯域の電波を受信し、第１、第２および第３の導電線でＶＨＦ帯の電波を受信することを特徴とする請求項１に記載のアンテナ。
【請求項３】
前記複数の導電線のうち前記一端にある導電線に、前記受信装置に取り付けられたジャックと接続可能なプラグが取り付けられたことを特徴とする請求項１または２に記載のアンテナ。
【請求項４】
ヘッドホン用のケーブルを構成する複数本のコードのそれぞれを、前記複数本の導電線および少なくとも１個のインダクタで構成したことを特徴とする請求項１〜３のいずれかに記載のアンテナ。
【発明の詳細な説明】
【技術分野】
【０００１】
本発明は、テレビジョン受信機等の受信装置に接続して用いられるアンテナに関するものである。
【背景技術】
【０００２】
従来のアンテナ回路として、例えば特許文献１に記載されたような、アンテナ利得補正回路を搭載したアンテナ回路がある。以下、この従来のアンテナ回路について、図面を参照して説明する。
【０００３】
図４のアンテナ回路は、米国仕様の小型テレビジョン受信機に実施した例である。アンテナ利得補正回路４２は、基本的には、インダクタ４４と、コンデンサ４７、コンデンサ４６および４８の並列回路で構成されている。このうちコンデンサは、受信回路４３の制御によって容量が変化する可変容量ダイオード４６と、固定容量のコンデンサ４７および４８により構成されている。なお、４５はチョークコイルである。
【０００４】
インダクタ４４として、公称インダクタンス０．３３μＨ、自己共振周波数３５０ＭＨｚのチップインダクタを用いている。可変容量ダイオード４６は、受信回路４３の制御によって容量が２ｐＦから１２ｐＦに変化し、コンデンサの合成容量としては４．５ｐＦから９ｐＦに変化する。その結果、アンテナ利得補正回路４２のインピーダンス特性が変化し、自己共振周波数は、１２０ＭＨｚから８５ＭＨｚの範囲で変化する。例えば２チャンネルを受信している時は、アンテナ利得補正回路４２の自己共振周波数は８５ＭＨｚとなり、インピーダンスは約３００Ωとなる。
【０００５】
ＶＨＦ帯のローバンドを２チャンネルから６チャンネルへ順次選局するに従い、受信回路４３の制御によって可変容量ダイオード４６の容量を変化させ、アンテナ利得補正回路４２の自己共振周波数を８５ＭＨｚから１２０ＭＨｚへ連続的に変化させる。この結果、受信チャンネルにおけるインピーダンスも約３００Ωから１００Ωに連続的に変化して、各チャンネルにおけるアンテナ利得補正回路４２のインピーダンス特性を最適化している。
【特許文献１】特開昭６２−２６０４０３号公報
【発明の開示】
【発明が解決しようとする課題】
【０００６】
上述したように、従来のアンテナ回路では、アンテナ利得補正回路４２のインピーダンス特性を変化させることによってアンテナ回路の最適化を行っていたが、可変容量ダイオードを用いるため構造が複雑となり、コストアップの原因となっていた。
【０００７】
本発明は上記課題を解決し、複数の異なる周波数帯に対して良好な受信感度を有するアンテナを、比較的コストの安い簡単な構成で実現することを目的とする。
【課題を解決するための手段】
【０００８】
上記目的を達成するために本発明のアンテナは、複数の周波数帯域の電波を選択的に受信する受信装置に取付可能なアンテナであって、
一端が前記受信装置に接続可能であり、かつ直列に接続された複数本の導電線および、前記複数本の導電線の間に挿入された少なくとも１個のインダクタで構成され、
前記複数本の導電線の一端から他端までの長さおよび、前記一端から前記いずれかのインダクタが接続された位置までの長さは、前記複数の周波数帯域のうちいずれかの周波数帯域の中心周波数またはその近傍の周波数における波長のｎ／４（ｎは１、２、３および４のいずれか）であり、
かつ前記少なくとも１個のインダクタの自己共振周波数は、前記一端から前記インダクタが接続された位置までの長さに対応した周波数帯域の中心周波数またはその近傍の周波数と合致することを特徴とする。
【０００９】
本発明のアンテナにおいて、２個のインダクタと３本の導電線で構成し、第１の導電線でＵＨＦ帯の上帯域の電波を受信し、第１および第２の導電線でＵＨＦ帯の下帯域の電波を受信し、第１、第２および第３の導電線でＶＨＦ帯の電波を受信するようにしてもよい。
【００１０】
なお、前記複数の導電線のうち前記一端にある導電線に、前記受信装置に取り付けられたジャックと接続可能なプラグを取り付けることが好ましい。
【００１１】
また、本発明のアンテナをヘッドホン用のケーブルと兼用し、ケーブルを構成する複数本のコードのそれぞれを、前記複数本の導電線および前記少なくとも１個のインダクタで構成してもよい。
【発明の効果】
【００１２】
本発明によれば、実質的に１本の導電線を用いて、複数の異なる周波数帯に対して良好な受信感度を有するアンテナを実現できる。
【発明を実施するための最良の形態】
【００１３】
以下、本発明の実施の形態におけるアンテナについて、図面を参照しながら説明する。
【００１４】
（実施の形態１）
本実施の形態では、本発明のアンテナとして、導電線を１本のアンテナコードで構成した例について説明する。図１は本発明のアンテナコードを含むテレビジョン受信機（以下、ＴＶ受像機という）の構成図である。なお、ＴＶ受像機は本発明の受信装置の一例である。
【００１５】
図１において、１１はＴＶ受像機、１２はＴＶ受像機１１に内蔵されたチューナ、１３はチューナ１２の入力に接続されたジャック、１４はジャック１３に挿入可能なプラグ、１５はプラグ１４が一端に接続されたアンテナコード、１６および１７はアンテナコード１５の途中に挿入された第１のインダクタおよび第２のインダクタである。ＴＶ受像機１１のチューナ１２は、複数の周波数帯域の電波を選択的に受信する。
【００１６】
導電線であるアンテナコード１５は、第１アンテナ部１５ａ、第２アンテナ部１５ｂおよび第３アンテナ部１５ｃに分割されている。
【００１７】
第１アンテナ部１５ａは、一端がプラグ１４に接続され、他端が第１のインダクタ１６に接続されている。第１アンテナ部１５ａの一端から他端までの長さは、複数の周波数帯域のうちいずれかの周波数帯域の中心周波数またはその近傍の周波数における波長の３／４に相当する。第１アンテナ部１５ａは、中心周波数またはその近傍の周波数における波長が上記長さに対応した周波数帯域の電波を受信する。また第１のインダクタ１６は、第１アンテナ部１５ａで受信する周波数帯域の中心周波数またはその近傍の周波数と合致する自己共振周波数を有する。
【００１８】
第２アンテナ部１５ｂは、一端が第１のインダクタ１６に接続され、他端が第２のインダクタ１７に接続されている。第１アンテナ部１５ａの一端から第２アンテナ部１５ｂの他端までの長さは、複数の周波数帯域のうちいずれかの周波数帯域の中心周波数またはその近傍の周波数における波長の３／４に相当する。第1アンテナ部１５ａおよび第２アンテナ部１５ｂは、中心周波数またはその近傍の周波数における波長が上記長さに対応した周波数帯域の電波を受信する。また第２のインダクタ１７は、第１アンテナ部１５ａおよび第２アンテナ部１５ｂで受信する周波数帯域の中心周波数またはその近傍の周波数と合致する自己共振周波数を有する。
【００１９】
次に、上述したアンテナコード１５において、アンテナ部１５ａ〜１５ｃの長さと、インダクタ１６および１７の自己共振周波数との関係について、図面を用いて更に詳しく説明する。
【００２０】
図２はアンテナコード１５の構成と長さの関係を示す模式図である。図２において、プラグ１４と第１のインダクタ１６との間の長さをＬ、プラグ１４と第２のインダクタ１７との間の長さをＭ、プラグ１４からアンテナコード１５の終端までの長さをＮとする。
【００２１】
アンテナコード１５は、ＶＨＦ帯（９０ＭＨｚから２２２ＭＨｚ）とＵＨＦ帯（４７０ＭＨｚから７７０ＭＨｚ）の電波を受信するものとする。受信する電波の波長に対して最適なアンテナ長があり、実験の結果では受信する電波の波長の３／４の長さに相当するアンテナ長が最適である。したがって、アンテナコード１５の全体の長さ（図２のＮ）はＶＨＦ帯に最適になるように決定する。ＮをＶＨＦ帯の中心周波数に近い周波数である１５０ＭＨｚにおける波長の３／４の長さとすれば、Ｎは約１５０ｃｍとなる。
【００２２】
次にＵＨＦ帯の受信について説明する。ＵＨＦ帯は４７０ＭＨｚから７７０ＭＨｚと広帯域なので、この帯域すべてを１つのアンテナで受信するのは困難である。したがって帯域を２つに分割し、例えば４７０ＭＨｚから６２０ＭＨｚまでの下帯域と６２０ＭＨｚから７７０ＭＨｚまでの上帯域に分割する。
【００２３】
ＶＨＦ帯の次に波長が長いのはＵＨＦ下帯域であり、中心周波数は５４５ＭＨｚで、その波長の３／４は約４１ｃｍとなるため、アンテナ長は約４１ｃｍとなる。ここで、第２のインダクタ１７によって、第２のインダクタ１７から先のコードを高周波的に遮断することにより、ＵＨＦ下帯域に必要なアンテナ長を確保する。この場合、第２のインダクタ１７の自己共振周波数をＵＨＦ下帯域の中心周波数である５４５ＭＨｚとすればインダクタから先のコードを高周波的に遮断し、ＵＨＦ下帯域に対しては、アンテナ長を図２における長さＭにすることができる。従ってＭは約４１ｃｍとなる。
【００２４】
なお、１つのインダクタの自己共振周波数でＵＨＦ下帯域全体をカバーすることができない場合は、異なる自己共振周波数を持つ複数のインダクタを直列に接続して、ＵＨＦ下帯域全体をカバーすればよい。
【００２５】
以上の構成により、ＵＨＦ下帯域を受信するのに最適な長さのアンテナを確保することができる。
【００２６】
次に、ＵＨＦ上帯域に最適なアンテナ長について説明する。ＵＨＦ上帯域の中心周波数は６９５ＭＨｚであり、その波長の３／４は約３２ｃｍになるので、ＵＨＦ下帯域のアンテナ長を実現した第２のインダクタ１７と同様の考えに基づいて、第１のインダクタ１６を挿入すればよい。その場合、図２におけるＬが約３２ｃｍとなる。さらに、第１のインダクタ１６の自己共振周波数は、ＵＨＦ上帯域の中心周波数である６９５ＭＨｚとすればよい。
【００２７】
なお、ＵＨＦ下帯域の場合と同様に、１つのインダクタの自己共振周波数でＵＨＦ上帯域全体をカバーすることができない場合は、異なる自己共振周波数を持つ複数のインダクタを直列に接続して、ＵＨＦ上帯域全体をカバーすればよい。
【００２８】
以上の構成により、ＵＨＦ上帯域を受信するのに最適な長さのアンテナを確保することができる。
【００２９】
なお、本実施の形態においては、導電線としてコードを用いた場合について説明したが、本発明はこれに限定されず、例えば金属棒状の導電線を用いてアンテナを構成することも可能である。
【００３０】
また、本実施の形態において、アンテナコードの長さＬ、ＭおよびＮは、それぞれ受信する周波数帯域の中心周波数における波長の３／４としたが、アンテナの利得はコードの長さに対しゆるやかに変化する。このため、アンテナコードの長さＬ、ＭおよびＮは中心周波数の波長の３／４に限定されるものではなく、その近傍の長さであっても同様の効果が期待できる範囲であればよい。また、中心周波数における波長の３／４以外に、中心周波数における波長の１／４、２／４または４／４であっても、若干利得が下がるが、３／４の場合と同様の効果を得られるため、これらを除外するものではない。
【００３１】
更に、インダクタ１６および１７の自己共振周波数についても、受信する周波数帯域の中心周波数の値としたが、自己共振周波数が中心周波数から若干ずれても、その近傍であれば同様の効果が得られるため、これらを除外するものではない。
【００３２】
また、図１および図２においては、インダクタを２つ用いてＵＨＦ帯を２つに分割する場合について説明したが、ＶＨＦ帯を２つに分割する場合でも、ＵＨＦ帯を分割するのと同様にして実現することができる。また、インダクタの自己共振周波数で遮断できる帯域によっては、ＵＨＦ帯を３つ以上に分割した場合がよい場合がある。この場合も、２つに帯域を分割した場合と同様に設計すれば、各帯域に最適なアンテナ長を実現することができる。
【００３３】
また、ＵＨＦ下帯域をカバーするアンテナ長は図２の長さＭとしたが、第１のインダクタ１６が途中に存在するために電気的な長さが波長の３／４より長く見える場合がある。この場合は、図２のＭの物理的な長さを調整することで最適な長さにすることができる。同様に、ＶＨＦ帯をカバーするアンテナの長さは図２の長さＮになるが、第１のインダクタ１６と第２のインダクタ１７により電気的な長さが長く見える場合がある。この場合は図２のＮの物理的な長さを調整することで最適な長さにすることができる。
【００３４】
以上のようにして、ＶＨＦ帯およびＵＨＦ帯の電波を実質的に１本のコードで受信可能なアンテナを実現することができる。
【００３５】
（実施の形態２）
図３は本発明の実施の形態２におけるアンテナの構成を示した図であり、本実施の形態では、ヘッドホン用のケーブルをアンテナとして兼用している。図３（ａ）にケーブルの外観を示し、図３（ｂ）にその回路図を示す。
【００３６】
図３において、３１はケーブル３２を図１に示したＴＶ受像機１１のジャック１３に接続するプラグ、３３はケーブル３２の先端に取り付けられたヘッドホンである。プラグ３１をＴＶ受像機１１のジャック１３に接続することにより、ヘッドホン３３はＴＶ受像機１１の音声出力部と接続され、またケーブル３２はチューナ１２に接続される。
【００３７】
ケーブル３２は、図１と同様に３２ａ〜３２ｃの３つのアンテナ部で構成され、それぞれのアンテナ部の間には中間部品３４とリモコン３５が挿入されている。また中間部品３４とリモコン３５にはインダクタが封入されている。
【００３８】
図１のアンテナコードではコードは１本であったが、図３（ｂ）に示すように、本実施の形態では、ケーブルが３本並列に接続されたコード（Ｌ、ＲおよびＧＮＤ）で構成されているため、それぞれのコードにインダクタが挿入されている。なお、中間部品３４およびリモコン３５に封入された３つのインダクタには基本的に同じものを用いる。
【００３９】
また、アンテナ部３２ａ〜３２ｃの長さおよびアンテナ部３２ａ〜３２ｃの間に挿入されたインダクタの共振周波数は、基本的には図２で説明した値と同じである。
【００４０】
本実施の形態によれば、ヘッドホン用のケーブルの途中にインダクタを挿入するだけでアンテナとしても使用できる。従って、ヘッドホン用のケーブルとアンテナを兼用することができるため、携帯型のＴＶ受像機に適用した場合に機器がかさばらず、持ち運びも容易になる等の利点を有する。
【産業上の利用可能性】
【００４１】
本発明のアンテナは、例えばＴＶ受像機のように複数の異なる周波数帯域の電波を受信する受信装置において、１本のコードを用いた比較的簡単な構成のアンテナで、複数の異なる周波数帯域に対し最適な受信感度を得ることができるものであり、携帯型のＴＶ受像機等に用いた場合に有用である。
【図面の簡単な説明】
【００４２】
【図１】本発明の実施の形態１にかかるアンテナコードを含むＴＶ受像機の構成図
【図２】アンテナコードの構成と長さの関係を示す模式図
【図３】本発明の実施の形態２にかかるヘッドホン用のケーブルの外観および回路構成を示す図
【図４】従来のアンテナ回路の構成を示す回路図
【符号の説明】
【００４３】
１１  ＴＶ受像機
１２  チューナ
１３  ジャック
１４、３１  プラグ
１５  アンテナコード
１６、１７  インダクタ
３２ａ〜３２ｃ  ケーブル
３３  ヘッドホン
３４  中間部品
３５  リモコン
【図１】
2006325197.tif 000003
【図２】
2006325197.tif 000004
【図３】
2006325197.tif 000005
【図４】
2006325197.tif 000006